【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
撮影光学系と、  前記撮影光学系の一部又は他の光学部材であって、前記撮影光学系に対して移動可能に設けられた可動光学部材と、  前記可動光学部材の位置検出に用いる磁気センサと、  巻線の巻き取り中心線が、前記磁気センサの、その磁気検出感度が最も高い方向と交差する方向に設けられた、アクチュエータ用のコイルと、を備えるブレ補正ユニット。
【請求項２】
請求項１に記載のブレ補正ユニットにおいて、  前記コイルは、シャッタまたは絞りを駆動するアクチュエータを構成すること、を特徴とするブレ補正ユニット。
【請求項３】
請求項２に記載のブレ補正ユニットにおいて、  前記コイルを貫通するように配置されたヨークを備え、  前記ヨークは、  前記コイルの巻線の巻き取り中心線を貫通するように配置された貫通部と、  前記貫通部から前記コイルの第１の端部側へ突出した第１の突出部と、  前記貫通部から前記コイルの前記第１の端部側とは反対側の第２の端部側へ突出するとともに、前記第１の突出部と対向する位置まで前記第１の端部側の方向へ折り返して形成された第２の突出部と、  を有し、  前記第１の突出部と前記第２の突出部とに挟まれる位置に回転可能に配置された磁石を備えるブレ補正ユニット。
【請求項４】
請求項３に記載のブレ補正ユニットにおいて、  前記磁石は、その回転中心が、前記磁気センサが配置されている平面に対して略直交するように配置されているブレ補正ユニット。
【請求項５】
請求１から請求項４までのいずれか１項に記載のブレ補正ユニットにおいて、 前記磁気センサが配置されている平面は、前記撮影光学系の光軸に直交する平面であって、  前記磁気センサと前記コイルとは、前記平面において前記撮影光学系の光軸に直交する仮想直線を挟むように配置されているブレ補正ユニット。
【請求項６】
請求項１から請求項５までのいずれか１項に記載のブレ補正ユニットにおいて、  前記コイルを複数有し、  前記コイルのうちのひとつを含み、シャッタを駆動するシャッタアクチュエータと、  前記コイルのうちの他のひとつを含み、絞りを駆動する絞りアクチュエータと、  を有し、  前記シャッタアクチュエータと前記磁気センサとの距離は、前記絞りアクチュエータと前記磁気センサとの距離よりも離れているブレ補正ユニット。
【請求項７】
請求項１から請求項６までのいずれか１項に記載のブレ補正ユニットにおいて、  前記巻取り中心線は、前記磁気センサが配置されている平面と略平行かつ略同一平面上に配置されている、ブレ補正ユニット。
【請求項８】
請求項１から請求項７までのいずれか１項に記載のブレ補正ユニットであって、  前記可動光学部材は、前記撮影光学系の光軸に対して垂直に移動可能に設けられ、  前記磁気センサにおける、磁気検出感度が最も高い方向は、前記光軸と平行であること、を特徴とするブレ補正ユニット。
【請求項９】
撮影光学系の光軸と交差する方向に移動可能な可動光学部材と、  前記可動光学部材の位置検出に用いる磁気センサと、  前記可動光学部材を駆動する第１のアクチュエータと、  前記可動光学部材とは異なる部材を駆動する第２アクチュエータとを含み、  前記第２アクチュエータは、巻線の巻き取り中心線が、前記磁気センサの、その磁気検出感度が最も高い方向と交差する方向に設けられているコイルを備え、  前記可動光学部材の光軸が、前記第１アクチュエータと前記第２アクチュエータとの間にあるブレ補正ユニット。
【請求項１０】
請求項９に記載のブレ補正ユニットにおいて、  前記巻取り中心線は、前記磁気センサが配置されている平面と略平行かつ略同一平面上に配置されている、ブレ補正ユニット。
【請求項１１】
請求項１から請求項１０までのいずれか１項に記載のブレ補正ユニットにおいて、  前記コイルを貫通するように配置されたヨークを備え、  前記ヨークは、  前記コイルの巻線の巻き取り中心線を貫通するように配置された貫通部と、  前記貫通部から前記コイルの第１の端部側へ突出した第１の突出部と、  前記貫通部から前記コイルの前記第１の端部側とは反対側の第２の端部側へ突出するとともに、前記第１の突出部と対向する位置まで前記第１の端部側の方向へ折り返して形成された第２の突出部と、  を有し、  前記コイルが貫通している前記貫通部は、前記第２突出部の前記折り返された部分よりも、可動光学部材に対して外側に配置されているブレ補正ユニット。
【請求項１２】
請求項１から請求項１１までのいずれか１項に記載のブレ補正ユニットを備えるレンズ鏡筒。
【請求項１３】
請求項１から請求項１２までのいずれか１項に記載のブレ補正ユニットを備えるカメラ。
【手続補正２】
【補正対象書類名】明細書
【補正対象項目名】０００５
【補正方法】変更
【補正の内容】
【０００５】  本発明は、以下のような解決手段により、前記課題を解決する。なお、理解を容易にするために、本発明の実施形態に対応する符号を付して説明するが、これに限定されるものではない。  請求項１に記載の発明は、撮影光学系（Ｌ１，Ｌ２，Ｌ３，Ｌ４）と、前記撮影光学系の一部又は他の光学部材であって、前記撮影光学系に対して移動可能に設けられた可動光学部材（Ｌ３）と、前記可動光学部材の位置検出に用いる磁気センサ（３１Ｘ，３１Ｙ）と、巻線の巻き取り中心線（Ｑ）が、前記磁気センサの、その磁気検出感度が最も高い方向と交差する方向に設けられた、アクチュエータ用のコイル（１９）と、を備えるブレ補正ユニット（１００）である。  請求項２に記載の発明は、請求項１に記載のブレ補正ユニット（１００）において、前記コイル（１９）は、シャッタ（１３，１４）または絞りを駆動するアクチュエータ（１５，１６，１７，１９）を構成すること、を特徴とするブレ補正ユニット（１００）である。  請求項３に記載の発明は、請求項２に記載のブレ補正ユニットにおいて、前記コイル（１９）を貫通するように配置されたヨーク（１７）を備え、前記ヨークは、前記コイルの巻線の巻き取り中心線（Ｑ）を貫通するように配置された貫通部（１７ａ）と、前記貫通部から前記コイルの第１の端部側へ突出した第１の突出部（１７ｂ）と、前記貫通部から前記コイルの前記第１の端部側とは反対側の第２の端部側へ突出するとともに、前記第１の突出部と対向する位置まで前記第１の端部側の方向へ折り返して形成された第２の突出部（１７ｃ）と、を有し、前記第１の突出部と前記第２の突出部とに挟まれる位置に回転可能に配置された磁石（１６）を備えるブレ補正ユニット（１００）である。  請求項４に記載の発明は、請求項３に記載のブレ補正ユニットにおいて、前記磁石（１６）は、その回転中心が、前記磁気センサが配置されている平面に対して略直交するように配置されているブレ補正ユニット（１００）である。  請求項５に記載の発明は、請求項１から請求項４までのいずれか１項に記載のブレ補正ユニットにおいて、前記磁気センサが配置されている平面は、前記撮影光学系（Ｌ１，Ｌ２，Ｌ３，Ｌ４）の光軸（Ｏ）に直交する平面であって、前記磁気センサ（３１Ｘ，３１Ｙ）と前記コイル（１９）とは、前記平面において前記撮影光学系の光軸に直交する仮想直線（Ｔ）を挟むように配置されているブレ補正ユニット（１００）である。  請求項６に記載の発明は、請求項１から請求項５までのいずれか１項に記載のブレ補正ユニットにおいて、前記コイルを複数有し、前記コイルのうちのひとつを含み、シャッタを駆動するシャッタアクチュエータ（１５，１６，１７，１９）と、前記コイルのうちの他のひとつを含み、絞りを駆動する絞りアクチュエータ（Ｕ）と、を有し、前記シャッタアクチュエータと前記磁気センサとの距離は、前記絞りアクチュエータと前記磁気センサとの距離よりも離れているブレ補正ユニット（１００）である。 請求項７に記載の発明は、請求項１から請求項６までのいずれか１項に記載のブレ補正ユニット（１００）において、前記巻取り中心線は、前記磁気センサ（３１Ｘ，３１Ｙ）が配置されている平面と略平行かつ略同一平面上に配置されている、ブレ補正ユニット（１００）である。 請求項８に記載の発明は、請求項１から請求項７までのいずれか１項に記載のブレ補正ユニット（１００）であって、前記可動光学部材（Ｌ３）は、前記撮影光学系（Ｌ１，Ｌ２，Ｌ３，Ｌ４）の光軸に対して垂直に移動可能に設けられ、前記磁気センサ（３１Ｘ，３１Ｙ）における、磁気検出感度が最も高い方向は、前記光軸と平行であること、を特徴とするブレ補正ユニット（１００）である。 請求項９に記載の発明は、撮影光学系（Ｌ１，Ｌ２，Ｌ３，Ｌ４）の光軸と交差する方向に移動可能な可動光学部材（Ｌ３）と、前記可動光学部材（Ｌ３）の位置検出に用いる磁気センサ（３１Ｘ，３１Ｙ）と、前記可動光学部材（Ｌ３）を駆動する第１のアクチュエータと、前記可動光学部材（Ｌ３）とは異なる部材を駆動する第２アクチュエータとを含み、前記第２アクチュエータは、巻線の巻き取り中心線が、前記磁気センサ（３１Ｘ，３１Ｙ）の、その磁気検出感度が最も高い方向と交差する方向に設けられているコイル（１９）を備え、前記可動光学部材（Ｌ３）の光軸が、前記第１アクチュエータと前記第２アクチュエータとの間にあるブレ補正ユニット（１００）である。 請求項１０に記載の発明は、請求項９に記載のブレ補正ユニット（１００）において、前記巻取り中心線は、前記磁気センサ（３１Ｘ，３１Ｙ）が配置されている平面と略平行かつ略同一平面上に配置されている、ブレ補正ユニット（１００）である。  請求項１１に記載の発明は、請求項１から請求項１０までのいずれか１項に記載のブレ補正ユニット（１００）において、前記コイル（１９）を貫通するように配置されたヨークを備え、前記ヨークは、前記コイル（１９）の巻線の巻き取り中心線を貫通するように配置された貫通部と、前記貫通部から前記コイル（１９）の第１の端部側へ突出した第１の突出部と、前記貫通部から前記コイル（１９）の前記第１の端部側とは反対側の第２の端部側へ突出するとともに、前記第１の突出部と対向する位置まで前記第１の端部側の方向へ折り返して形成された第２の突出部と、を有し、前記コイル（１９）が貫通している前記貫通部は、前記第２突出部の前記折り返された部分よりも、可動光学部材（Ｌ３）に対して外側に配置されているブレ補正ユニット（１００）である。  請求項１２に記載の発明は、請求項１から請求項１１までのいずれか１項に記載のブレ補正ユニット（１００）を備えるレンズ鏡筒である。  請求項１３に記載の発明は、請求項１から請求項１２までのいずれか１項に記載のブレ補正ユニット（１００）を備えるカメラである。  なお、符号を付した構成は適宜改良してもよい。また、少なくとも一部を他の構成物に代替してもよく、その配置について特に限定のない構成要件は、実施形態で開示した配置に限らない。